(57)【要約】【課題】  長線形部材を輸送移動中或いは停置中に旋移する長線形部材旋移装置を提供する。【解決手段】  本発明の長線形部材旋移装置３０は旋移ローラー装置３２と動力システム３４、また旋移ローラー装置３２に設置してある複数の各ローラー３６が含まれる。且つ各ローラー３６に複数且つ同等数量の受入口が含まれ、各ローラー３６の受入口が隣接される各ローラー３６の受入口と互いに一直線になる。また、動力システム３４が旋移ローラー装置３２のローラー３６を駆動して同期に回転させる。これにより互いに一直線になる受入口が長線形部材をしっかりと受けることが可能となると共にこれを旋移させる。また本発明の長線形部材旋移装置３０は、さらにローラー輸送台上の快速移動或は停置中の長線形部材を取り出して、側辺の受入台上に放置し、その他の輸送装置により長線形部材を別の一製造工程へ輸送するようにしている。【選択図】  図４
2009286631.tif 000002
【特許請求の範囲】
【請求項１】
長線形部材旋移装置に関し、少なくとも一つの長線形部材を旋移する場合に使用される該長線形部材旋移装置は、旋移ローラー装置に、配列して設置される複数のローラーが含まれ、且つ、各該ローラーに複数且つ同等数量の受入口が含まれ、そして各該ローラーの該受入口が相隣される各該ローラーの該当受入口とお互いに一直線になり、及び、動力システムが、該旋移ローラー装置の該ローラーを同期で回転するよう駆動させ、これによりお互いに一直線になる当受入口が該長線形部材を受止めて旋移させるようにしたことを特徴とする長線形部材旋移装置。
【請求項２】
請求項１に記載の前記長線形部材旋移装置において、その中の動力システムに一つの駆動モーター、一つの回転軸と複数の支柱が含まれ、該駆動モーターが該回転軸を駆動して、前記ローラーを連結して回転させ、且つ、該支柱が該回転軸と該ローラーを支持することを特徴とする長線形部材旋移装置。
【請求項３】
請求項１に記載の前記長線形部材旋移装置において、別にガイドアーム機構が含まれ、且つ該ガイドアームに複数のフロントガイドアームとエンドガイドアームが前記ローラーと交差で配列され、該ローラーが前記長線形部材を特定の間隔角度に回転させてから、該当フロントガイドアームが該長線形部材を該当回転ロールの該当受入口から引き抜き、受入口に放置させることを特徴とする長線形部材旋移装置。
【請求項４】
請求項１に記載の前記長線形部材旋移装置において、前記各ローラーと隣接する前記受入口がお互いに同等の角度で間隔を有することを特徴とする長線形部材旋移装置。
【請求項５】
請求項１に記載の前記長線形部材旋移装置において、前記各受入口に一つの受入壁面を有し、前記長線形部材に接触摩擦力を与えて、移動中の該長線形部材にブレーキをかけて停止させることを特徴とする長線形部材旋移装置。
【請求項６】
請求項１に記載の前記長線形部材旋移装置において、前記長線形部材がローラー輸送台を利用して移動することを特徴とする長線形部材旋移装置。
【請求項７】
請求項１に記載の前記長線形部材旋移装置において、前記長線形部材が平台に放置されることを特徴とする長線形部材旋移装置。
【請求項８】
長線形部材旋移装置に関し、少なくとも一つ長線形部材を低位置のローラー輸送台或は平台上から高位置の受入台までに旋移する時に使用される該長線形部材旋移装置は、旋移ローラー装置に、配列して設置される複数のローラーが含まれ、且つ、該各ローラーに複数且つ同等数量の受入口が含まれ、そして、該各ローラーの該受入口が相隣する該各ローラーの該受入口とお互いに一直線になり、その中に、該各受入口が一つの受入壁面を有し、該長線形部材に接触摩擦力を与え、及び、動力システムに一つの駆動モーター、一つの回転軸と複数の支柱が含まれ、該駆動モーターが該回転軸を駆動して、該ローラーを連結して同期に回転させ、且つ、該支柱が該回転軸と該ローラーを支持するようにしたことを特徴とする長線形部材旋移装置。
【請求項９】
請求項８に記載の前記長線形部材旋移装置において、別に一つガイドアーム機構が含まれ、且つ、該ガイドアーム機構に複数のフロントガイドアームとエンドガイドアームが前記ローラーと交差で配列され、該ローラーが前記長線形部材を特定の間隔角度に回転させてから、該フロントガイドアームが長線形部材を該ローラーの前記受入口から引き抜き、前記受入台に放置させることを特徴とする長線形部材旋移装置。
【請求項１０】
請求項８に記載の前記長線形部材旋移装置において、前記各ローラーと隣接する前記受入口がお互いに同等の角度で間隔を有していることを特徴とする長線形部材旋移装置。
【発明の詳細な説明】
【技術分野】
【０００１】
本発明は、長線形部材旋移装置に関し、特に快速進行中或は停置中の長線形部材が側辺の受入台に移動放置される時に適用する長線形部材旋移装置である。
【背景技術】
【０００２】
従来の技術では、長線形部材を輸送移動させるためのローラー輸送台上において輸送移動中の長線形部材を取り出す時に、この長線形部材を移送ローラーのスクリュー歯を使って輸送台の側辺に押し出して押出装置まで落下移送し、次いで、該押出装置により長線形部材を後続の輸送装置まで押出移送するようにしている。以下に、既知の鋼鉄工場における長線形部材の長線形部材を輸送及び転移する方法について説明する。
【０００３】
図１、図２と図３を参照しながら説明する。それは各々既知の長線形部材における輸送転移の側面図、既知のローラー式の輸送台の説明図と既知のその回転するローラーの説明図である。ローラー式の輸送台１２で長線形部材１０を輸送移動する時、回転するローラー１４に形成したスクリュー歯１６により、側辺に押し出される。続いて、長線形部材１０を押出装置１８まで押して落下させ、そして、押出装置１８により後続の輸送装置２０まで押し出す。
【発明の概要】
【発明が解決しようとする課題】
【０００４】
しかしながら、既知の前記ローラー１４は、前記長線形部材１０をローラー式の前記輸送台１２からそのまま下方に落下させて移送することしかできない。その上、輸送台１２に設けた動力システム２２から遠く離れた側にしかそれを移送することができず、動力システム２２が邪魔しないようにしつつ、既知の前記ローラー１４によって前記長線形部材１０をその上方に移送させることは不可能であった。そのため、既知の技術では前記長線形部材１０を移送させる方向に制限があり、このように後続する製成工程に影響を与えることになる。
【０００５】
この点を鑑みて、上記問題を解決するべく、本発明の主要目的は、長線形部材を輸送移動中或いは停置中に旋移させることを可能とする長線形部材旋移装置を提供することであり、従来のローラーは、長線形部材を輸送台の下方や特定の側辺に移送することしかできず、しかも長線形部材を上方に移送することは不可能であったという問題を改善する。
【課題を解決するための手段】
【０００６】
上記目的を達成するために、本発明は、長線形部材旋移装置を提供し、長線形部材を旋移する時に使用される。本発明の長線形部材旋移装置に旋移ローラー装置と動力システムが含まれる。この中に、旋移ローラー装置に設置してある単数列或は複数列の複数のローラーが含まれる。且つ、各ローラーに複数且つ同等数量の受入口が含まれ、各ローラーの受入口が隣接される各ローラーの受入口と互いに一直線になる。その他に、動力システムが旋移ローラー装置のローラーを駆動して同期に回転させる。これによって、互いに一直線になる受入口が長線形部材を受入れると共に旋移させる。
【０００７】
上述の目的を達成するために、本発明は別の長線形部材旋移装置を提供し、長線形部材を低位置のローラー輸送台或いは置台から高位置の受入台に転移する時に使用される。本発明の長線形部材旋移装置に旋移ローラー装置と動力システムが含まれる。旋移ローラー装置に設置してある単数列或は複数列の複数のローラーが含まれ、また、各ローラーに複数且つ同等数量の受入れ口が含まれる。そして、各ローラーの受入口が隣接される各ローラーの受入れ口と互いに一直線になる。その中に、各受入口が受入壁面を有し、長線形部材に接触摩擦力を与え、移動中の長線形部材にブレーキをかけて停止させる。その他に、動力システムに駆動モーター、回転軸と複数の支柱が含まれる。駆動モーターは、回転軸を駆動することによりローラーを連結して同期に回転させる。且つ支柱が回転軸とローラーを支持する。これにより、ローラー輸送台が長線形部材を旋移ローラー装置の適する位置に移動させた後、旋移ローラー装置は回転を開始して、ローラー上において互いに一直線になる受入口が長線形部材を受止め、受入台に旋移させる。
【発明の効果】
【０００８】
本発明の長線形部材旋移装置は、旋移ローラー装置中の数個のローラーを利用して、ローラー輸送台の上に置かれる快速移動或は停置中の長線形部材を高位置の受入台に旋移させることができ、ローラー輸送台の動力システムと互いに妨害することがなくなり、これによって長線形部材の動力側或は非動力側への移行を達成することを目的とする。
【図面の簡単な説明】
【０００９】
【図１】長線形部材を輸送及び移転させる形態を示す側面図である。
【図２】輸送台の説明図である。
【図３】長線形部材を輸送及び移転させる形態を示す説明図である。
【図４】本発明の長線形部材旋移装置を示す代表例である側面図である。
【図５】本発明の長線形部材旋移装置を示す代表例である説明図である。
【図６】本発明の長線形部材旋移装置を示す代表例である側面図である。
【発明を実施するための形態】
【００１０】
本発明の目的、構造の特徴及び機能を更に理解するために、下記の関連する実施例と図面を参照しながら詳細を説明する。
【００１１】
図４を参照する。この図に示すのは、本発明における実施例の長線形部材旋移装置の断面図、及び図５に示すのは、本発明における実施例の長線形部材旋移装置の説明図である。
【００１２】
本発明の長線形部材旋移装置は、長く形成する長線形部材を旋移する時に使用するものである。
【００１３】
本実施例において、長線形部材旋移装置３０は、長線形部材４６を低い位置のローラー輸送台５０から高い位置にある受入台５２に移送する時に使用できる。
【００１４】
この中に、一つの旋移ローラー装置３２と動力システム３４が含まれる。注目に値するのは、上述する実施例において、一組の本発明の旋移装置が長線形部材を単一方向である片面方向の第一側方向に旋移させることができることである。
【００１５】
しかしながら、長線形部材を放置するローラー輸送台を中心にする場合では、該第一側方向に相対するほかの側（即ち第二側方向）に、ほかの一つの旋移ローラー装置及び該ほかの一つの旋移ローラー装置を駆動するほかの一つの動力システムが放置される。
【００１６】
更に、各組の旋移ローラー装置上のローラーと輸送台のローラーとが互いに交差して配置される。当該ほかの一つの旋移ローラー装置が逆方向に転向で回転する時に、輸送台上の長線形部材を第二側方向に転移させることができる。該二組の不同転向の旋移ローラー装置がその動力システムと統合すると、長線形部材を不同側（両側）の受入台に旋移させる能力を有することになる。
【００１７】
なお、本発明は、各種形状の長線形部材の輸送と位置を移すことができ、例えば三角形、正方形、多角形、円形及びＨ形（例えばＨ型鋼）等であり、当然、受ける長線形部材の受入口の造形も長線形部材の形状やそのわずかな適した修正に依拠したものとすると共に、適用温度範囲が広く、無制限に可能である。そして、部材の進行速度をゼロから毎秒数メートルまでに設定することができる。
【００１８】
旋移ローラー装置３２に複数ローラー３６が含まれ、且つローラー３６が配列して設置され、動力システム３４が旋移ローラー装置３２のローラー３６を駆動して同期で回転させる。
【００１９】
本実施例では、動力システム３４に駆動モーター３８、回転軸４０及び複数支柱４２が含まれる。駆動モーター３８が回転軸４０を駆動して、ローラー３６を連結して同期で回転させる。且つ、支柱４２が回転軸４０とローラー３６を支持し、これによって、全部ローラー３６が共同の動力システム３４を有することになる。
【００２０】
図４、図５と図６を同時に参照する。図５と図６はそれぞれ本発明における実施例中の長線形部材旋移装置の説明図、及び本発明における実施例中の長線形部材の輸送と転移の側視図である。
【００２１】
旋移ローラー装置３２中の各ローラー３６に複数且つ同等数量の受入口４４が含まれる。その中に、相隣の受入口４４が互いに同等角度で間隔を有し、例えば、本実施例では、各ローラー３６が４個の受入口４４を有し、且つ互いに９０度の間隔角度がある。尚、各ローラー３６の受入口４４が相隣の各ローラー３６の受入口４４と互いに一直線になり、共同で長線形部材４６或はほかの長線形部材を受け取る。注目に値するのは、各受入口４４が各自に一つ受入壁面４８を有し、長線形部材４６に接触摩擦力を与えて、快速移動中の長線形部材４６にブレーキをかけて停止させることである。
【００２２】
ローラー輸送台５０が長線形部材４６を快速的に相対する旋移ローラー装置３２の適した位置に移動させた後に、使用の長線形部材旋移装置３０の動力システム３４は、旋移ローラー装置３２の回転を開始し、互いに一直線になる受入口４４が長線形部材４６を受け止め、最後に、旋移ローラー装置３２は長線形部材４６を受入台５２上まで旋移させ、この時、旋移ローラー装置３２も回転を停止する。
【００２３】
それ以外に、本発明の実施例の長線形部材旋移装置３０は一つのガイドアーム機構５４を別に有することができ、その中に、複数のフロントガイドアーム５６とエンドガイドアーム５７がローラー３６と交差で配列され、且つ、ローラー３６が長線形部材４６を特定の間隔角度に回転させた後に、フロントガイドアーム５６が長線形部材４６をローラー３６の受入口４４から引き抜き、受入台５２に放置させ、且つ一定の距離に移動させる。また、エンドガイドアーム５７が長線形部材４６を移動させると共に受入台５２傍側の押出装置５８上に在るよう推し下らせ、且つ、押出装置５８により品物を後継の輸送装置６０中に押し出す。その中において、ガイドアーム機構５４は四連桿のガイドアーム機構で成っている。
【００２４】
ローラー輸送台５０がローラー輸送台の動力システム（図面せず）を有し、受入台５２の下方に設置される。本発明の旋移ローラー装置３２が長線形部材４６を低位置から高位置までに旋移できるので、長線形部材４６が高位置の受入台５２の上方に移行され、それが動力システムから遠く離れることになる。
【００２５】
従来の技術と比較すると、本発明の長線形部材の旋移装置が旋移ローラー装置中の数個の回転ローラーを利用して、ローラー輸送台上の快速移動或は放置不動の長線形部材を高位置の受入台に旋移できるが、ローラー輸送台或は移転ローラーの動力システムと互いに妨害することがなく、長線形部材を動力側或は非動力側に移行する目的を達成できる。
【００２６】
本発明に前述した実施例を上記のように掲載したが、本発明に限定されることではなく、任意の類似な技術を熟知する技術者が、本発明の精神と範囲から離れない場合には、任意変動と修飾された同等な転換でも、本発明の出願保護範囲内に属する。
【符号の説明】
【００２７】
１０  長線形部材
１２  輸送台
１４  移送ローラー
１６  スクリュー歯
１８  押出装置
２０  輸送装置
２２  動力システム
３０  長線形部材旋移装置
３２  旋移ローラー装置
３４  動力システム
３６  ローラー
３８  駆動モーター
４０  回転軸
４２  支柱
４４  受入口
４６  長線形部材
４８  受入壁面
５０  ローラー輸送台
５２  受入台
５４  ガイドアーム機構
５６  フロントガイドアーム
５７  エンドガイドアーム
５８  押出装置
６０  輸送装置
【図１】
2009286631.tif 000003
【図２】
2009286631.tif 000004
【図３】
2009286631.tif 000005
【図４】
2009286631.tif 000006
【図５】
2009286631.tif 000007
【図６】
2009286631.tif 000008